(57)【要約】【課題】ペット用吸収性物品上をペットが通っても表面が足に引っ掛かって剥がれ難く、排泄物処理作業時に、手を汚し難く、また糞の感触が直接手指に伝わって不快感も生じ難いペット用吸収性物品を提供すること。【解決手段】本発明のペット用吸収性物品１Ａは、表面シート２及び表面シート２の一方の面に配された吸収体４を含んで構成される吸収性本体５と、表面シート２の一方の面とは反対側の面に配され、吸収性本体５と分離可能に固定部７を介して固定され一体化された液透過性の排泄物処理用シート６とを備えている。排泄物処理用シート６は、その周縁部６０ｓに串縫い状に縫って配された紐８を有している。ペット用吸収性物品１Ａは、紐８を引っ張ることにより、固定部７による固定が解除され、分離した排泄物処理用シート６が袋状となる。【選択図】図１
2014113120.tif 000002
【特許請求の範囲】
【請求項１】
表面シート及び当該表面シートの一方の面に配された吸収体を含んで構成される吸収性本体と、
前記表面シートの前記一方の面とは反対側の面に配され、該吸収性本体と分離可能に固定部を介して固定され一体化された液透過性の排泄物処理用シートとを備え、
前記排泄物処理用シートは、その周縁部に串縫い状に縫って配された紐を有し、
前記紐を引っ張ることにより、前記固定部による固定が解除され、分離した前記排泄物処理用シートが袋状となるペット用吸収性物品。
【請求項２】
前記固定部は片面テープであり、前記片面テープが前記紐を挟んで前記表面シートに固定されることにより、前記排泄物処理用シートが前記吸収性本体に分離可能に固定され一体化されている前記請求項１に記載のペット用吸収性物品。
【請求項３】
前記固定部は前記紐に直接塗工された接着剤であり、当該接着剤により、前記排泄物処理用シートが前記吸収性本体に分離可能に固定され一体化されている前記請求項１に記載のペット用吸収性物品。
【請求項４】
前記排泄物処理用シートと前記表面シートとのそれぞれ対向する面が固定部により分離可能に固定され一体化されており、前記紐が、前記固定部を避けて前記固定部よりも前記ペット用吸収性物品の中心側を通る位置に配されている前記請求項１に記載のペット用吸収性物品。
【請求項５】
前記紐を引っ張ることにより、前記固定部よりも前記ペット用吸収性物品の中心側を通る位置に配されている紐が前記固定部による固定を解除しながら直線状に延びることで、分離した前記排泄物処理用シートが袋状となる前記請求項４に記載のペット用吸収性物品。
【請求項６】
前記排泄物処理用シートと前記表面シートとのそれぞれ対向する面が固定部により分離可能に固定され一体化されており、前記紐が、前記固定部を避けて前記固定部の外周を１周回って配されている前記請求項１に記載のペット用吸収性物品。
【請求項７】
前記紐を引っ張ることにより、前記固定部の外周を１周回って配されている紐が前記固定部による固定を解除しながら直線状に延びることで、分離した前記排泄物処理用シートが袋状となる前記請求項１に記載のペット用吸収性物品。
【請求項８】
前記紐は、前記排泄処理用シートの両端部からそれぞれ外方に引き出されており、引き出された部分の前記紐を引っ張ることにより、前記固定部による固定が解除され、分離した前記排泄物処理用シートが袋状となる前記請求項１ないし７のいずれか１項に記載のペット用吸収性物品。
【発明の詳細な説明】
【技術分野】
【０００１】
本発明は、犬や猫等のペット（小動物）用の排泄物処理材として有用な吸収性物品に関する。
【背景技術】
【０００２】
ペット用の排泄物処理材として、液透過性の表面シート、液不透過性の裏面シート及び両シート間に配された吸収体を具備するペット用トイレシート（吸収性物品）が知られている。ペットの排泄行為に伴う飼育者の排泄物処理作業の負担を軽減する目的で、特許文献１には、前記吸収体の代わりに砂を入れた容器と、この容器の内面に沿って敷かれた網とを備えたペット用便器が記載されている。また、これとは別の技術として、特許文献２には、シート状の糞包覆部材と、該糞包覆部材上の糞が落とされる排糞落下区域の周縁に沿って配された、該糞包覆部材を袋状に綴じ纏める綴じ紐とを備えた排糞処理具が記載されている。
【先行技術文献】
【特許文献】
【０００３】
【特許文献１】特開２００２−３０６０１２号公報
【特許文献２】特開平１０−３０９１４４号公報
【発明の概要】
【発明が解決しようとする課題】
【０００４】
特許文献１に記載のペット用便器は、砂を入れた容器と網とが一体化されたものでないので、ペット用便器の上をペットが通ると、網が足に引っ掛かってしまう場合があり、再度、網を設置し直す手間がかかる場合があった。
【０００５】
また、特許文献２に記載の排糞処理具は、シートを介して糞を触ることが無いので、手を汚してしまうこともなく、また糞の感触が直接手指に伝わって不快を感じることもない。しかし、特許文献２に記載の排糞処理具は、吸収体を具備するペット用トイレシート（吸収性物品）と併用して用いるものでない。
【０００６】
従って、本発明は、ペット用吸収性物品上をペットが通っても表面が足に引っ掛かって剥がれ難く、排泄物処理作業時に、手を汚し難く、また糞の感触が直接手指に伝わって不快感も生じ難いペット用吸収性物品に関する。
【課題を解決するための手段】
【０００７】
本発明は、表面シート及び当該表面シートの一方の面に配された吸収体を含んで構成される吸収性本体と、前記表面シートの前記一方の面とは反対側の面に配され、該吸収性本体と分離可能に固定部を介して固定され一体化された液透過性の排泄物処理用シートとを備え、前記排泄物処理用シートは、その周縁部に串縫い状に縫って配された紐を有し、前記紐を引っ張ることにより、前記固定部による固定が解除され、分離した前記排泄物処理用シートが袋状となるペット用吸収性物品を提供するものである。
【発明の効果】
【０００８】
本発明によれば、ペットが通っても足に引っ掛かって剥がれ難く、排泄物処理作業時に、手を汚し難く、また糞の感触が直接手指に伝わって不快感も生じ難いペット用吸収性物品が提供される。
【図面の簡単な説明】
【０００９】
【図１】図１は、本発明のペット用吸収性物品の第１実施形態の模式的な平面図である。
【図２】図２は、図１のＩ−Ｉ線断面を模式的に示す断面図である。
【図３】図３は、図１のＩＩ−ＩＩ線断面を模式的に示す断面図である。
【図４】図４（ａ）及び図４（ｂ）は、それぞれ、図１に示すペット用吸収性物品の使用方法の説明図である。
【図５】図５は、本発明のペット用吸収性物品の第２実施形態の模式的な平面図（図１相当図）である。
【図６】図６は、本発明のペット用吸収性物品の第３実施形態の模式的な平面図（図１相当図）である。
【図７】図７（ａ）及び図７（ｂ）は、それぞれ、図６に示すペット用吸収性物品の使用方法の説明図である。
【図８】図８は、本発明のペット用吸収性物品の第４実施形態の模式的な平面図（図１相当図）である。
【図９】図９（ａ）及び図９（ｂ）は、それぞれ、図８に示すペット用吸収性物品の使用方法の説明図である。
【発明を実施するための形態】
【００１０】
以下、本発明のペット吸収性物品について、その好ましい実施形態に基づき図面を参照して説明する。第１実施形態のペット用吸収性物品１Ａは、図１〜図３に示すように、表面シート２及び表面シート２の一方の面に配された吸収体４を含んで構成される吸収性本体５と、表面シート２の前記一方の面とは反対側の面、すなわち、吸収体４が配された面とは反対側の面に配され、吸収性本体５と分離可能に固定部７を介して固定され一体化された液透過性の排泄物処理用シート６とを具備する。ペット用吸収性物品１Ａは、床面等の設置面に敷設されて使用されるもので、その敷設の際には、裏面シート３が設置面と対向し、排泄物処理用シート６は、ペットが排泄する際の足場となる。
【００１１】
更に説明すると、吸収性本体５は、液透過性の表面シート２、液不透過性の裏面シート３及び両シート２，３間に配された吸収体４を具備するシート状物である。表面シート２及び裏面シート３は、それぞれ、吸収体４の周縁から外方に延出し、それらの延出部において接着剤、熱融着等の公知の接合手段により接合されている。吸収体４は、平面視形状が長方形形状を有しており、その長手方向を吸収性本体５の長手方向に一致させて、表面シート２と裏面シート３との間に介在配置されている。
尚、以下の説明においては、吸収性本体５の長手方向をＹ方向、該長手方向と直交する幅方向をＸ方向として説明する。
【００１２】
本発明のペット用吸収性物品の形状、寸法は特に制限されるものではないが、例えば、第１実施形態のペット用吸収性物品１Ａは、図１に示す如き平面視において長方形形状を有しており、ペット（小動物）が排泄するのに適した大きさを有しており、そのＹ方向の長さは１５ｃｍ以上１２６ｃｍ以下、Ｘ方向の長さは１０ｃｍ以上９６ｃｍ以下である。
【００１３】
排泄物処理用シート６は、１枚の単層構造の液透過性シートからなり、ペット用吸収性物品１Ａの最表面を形成している。すなわち、ペット用吸収性物品１Ａを設置面に敷設した場合、ペット用吸収性物品１Ａは設置面からみて裏面シート３、吸収体４、表面シート２、排泄物処理用シート６の順で積層されていることとなる。排泄物処理用シート６は、平面視形状が吸収性本体５と同形状の長方形形状を有しており、且つ吸収性本体５よりも平面視の大きさ（サイズ）は同一又は小さい。図１及び図２では、排泄物処理用シート６の周縁６ｓは、吸収性本体５の周縁５ｓ（表面シート２の周縁又は裏面シート３の周縁）よりも内方に存している場合を示す。第１実施形態においては、排泄物処理用シート６と吸収性本体５とは、平面視形状が互いに同形、若しくは相似の関係にある。
【００１４】
排泄物処理用シート６は、表面シート２を介して、吸収性本体５と分離可能に固定部７を介して固定され一体化されている。ここで、「吸収性本体と分離可能に一体化」とは、排泄物処理用シートと吸収性本体とが一体となっている状態から、両者を破壊せずにバラバラに分離できることを意味する。即ち、固定部７を介して、排泄物処理用シート６と吸収性本体５の表面シート２とが仮に固定されている状態となっている。
【００１５】
排泄物処理用シート６は、その周縁部６０ｓに串縫い状に縫って配された紐８を有している。ここで、「串縫い状」とは、図３に示すように、排泄物処理用シート６の表裏交互に縫い込まれた状態を意味する。串縫いの間隔に関して詳述すると、表側の長さ（Ｌ１）は０．２ｃｍ以上１０ｃｍ以下であることが好ましく、裏側の長さ（Ｌ２）は０．２ｃｍ以上１０ｃｍ以下であることが好ましい。
【００１６】
紐８は、後述するように引っ張って操作を行う際に、引きちぎれない程度の強度及び柔軟性を有していることが好ましく、伸縮性を有する各種樹脂等の合成物、木綿や麻等の天然物、レーヨン等の半天然物又はこれらの複合体等から構成されていることが好ましい。また、紐８の形状は、糸状のものに限られず、例えば細長い帯状のものでもよい。
【００１７】
ペット用吸収性物品１Ａの有する紐８について、詳述すると、紐８は、図１に示すように、２本の紐８ａ，８ｂからなる。紐８ａは、排泄物処理用シート６の周縁部６０ｓの内の、Ｙ方向に沿う上側の一側部６０ｕｓにＹ方向に沿って串縫いされ、左側のＹ方向の一端部６０ｌｓにＸ方向に沿って串縫いされ、更にＹ方向に沿う下側の他側部６０ｄｓにＹ方向に沿って串縫いされており、紐８ａの両端が、右側のＹ方向の他端部６０ｒｓよりもＸ方向外方に引き出されて結ばれている。一方、紐８ｂは、排泄物処理用シート６の周縁部６０ｓの内の、Ｙ方向に沿う上側の一側部６０ｕｓにＹ方向に沿って串縫いされ、右側のＹ方向の他端部６０ｒｓにＸ方向に沿って串縫いされ、更にＹ方向に沿う下側の他側部６０ｄｓにＹ方向に沿って串縫いされており、紐８ｂの両端が、左側のＹ方向の一端部６０ｌｓよりもＸ方向外方に引き出されて結ばれている。ペット用吸収性物品１Ａにおいては、図１に示すように、一方の紐８ａは、排泄物処理用シート６のＹ方向に沿う両側部６０ｕｓ，６０ｄｓにおいて、吸収体４のＹ方向に沿う両側縁上、或いは該両側縁よりも内側に存している。そして他方の紐８ｂは、排泄物処理用シート６のＹ方向に沿う両側部６０ｕｓ，６０ｄｓにおいて、紐８ａよりも内方に存している。このように配された紐８ａ，８ｂは、全体を平面視して、ループ状に形成されている。
【００１８】
排泄物処理用シート６と吸収性本体５とを固定する固定部７は、例えば、ホットメルト接着剤等の各種接着剤による接着手段、ヒートエンボス加工、超音波加工等の融着手段、機械的面ファスナー等の係合手段等により形成される。前記接着手段には、各種接着剤単体の他、底面に各種接着剤が塗工された片面テープ、各種接着剤が両面に塗工された両面テープも含まれる。ペット用吸収性物品１Ａにおいては、固定部７は、底面に各種接着剤が塗工された片面テープから形成されている。固定部７の形状に関しては、特に制限されず、例えば、図１に示すような矩形状の他、楕円形、円形、菱形、三角形等の任意の形状であってもよい。
【００１９】
ペット用吸収性物品１Ａにおいては、排泄物処理用シート６は、図１に示すように、その４隅部分において、図３に示すように、串縫い状に縫われた、排泄物処理用シート６の裏面側の紐８ａ，８ｂの上側から片面テープの固定部７によって、吸収性本体５の表面シート２に分離可能に固定され一体化されている。すなわち、片面テープが紐８ａ，８ｂを挟んで表面シート２に固定されることにより、排泄物処理用シート６が吸収性本体５に分離可能に固定され一体化されている。このように、排泄物処理用シート６の裏面と吸収性本体５の表面シート２の表面とは直接接着固定されていないが、排泄物処理用シート６は、排泄物処理用シート６の裏面側の紐８ａ，８ｂを固定する片面テープの固定部７によって表面シート２の表面に固定されており、この形態も排泄物処理用シート６が吸収性本体５と分離可能に固定部７を介して固定され一体化されているといえる。各固定部７の接着強度は、排泄物処理用シート６と吸収性本体５とを仮に固定する程度の強度であり、具体的には、乾燥時の接着強度が、好ましくは１０ｇｆ／２５ｍｍ以上より好ましくは２０ｇｆ／２５ｍｍ以上であり、好ましくは８００ｇｆ／２５ｍｍ以下、より好ましくは４００ｇｆ／２５ｍｍ以下であり、たとえば、１０ｇｆ／２５ｍｍ以上８００ｇｆ／２５ｍｍ以下が好ましく、２０ｇｆ／２５ｍｍ以上４００ｇｆ／２５ｍｍ以下がより好ましい。
【００２０】
上述した本発明の第１実施形態のペット用吸収性物品１Ａの使用方法及び使用した際の作用効果について説明する。
ペット用吸収性物品１Ａは、排泄物処理前においては、吸収性本体５と、吸収性本体５の上方に配された排泄物処理用シート６とが、固定部７を介して固定され一体化されている。その為、ペット用吸収性物品１Ａ上をペットが通っても、足に引っ掛かって表面の排泄物処理用シート６が吸収性本体５から剥がれ難く、排泄物処理用シート６を設置し直す手間がかかり難い。
【００２１】
また、ペット用吸収性物品１Ａは、排泄物処理時においては、図４（ａ）及び図４（ｂ）に示すように、紐８ａ，８ｂを引っ張ることにより、固定部７による固定が解除され、分離した排泄物処理用シート６が袋状となる。詳述すると、ペットが排泄物処理用シート６上に糞Ｓを排泄した場合、ペットの飼育者が糞Ｓを処理するには、図４（ａ）に示すように、排泄物処理用シート６のＹ方向の両端部からＸ方向外方に引き出された紐８ａ，８ｂを、同時に、Ｘ方向外方に引っ張ることによって、排泄物処理用シート６を吸収性本体５の表面シート２に固定する片面テープの固定部７が吸収性本体５の表面シート２から外れ、排泄物処理用シート６と吸収性本体５とが分離する。そして、図４（ｂ）に示すように、更に紐８ａ，８ｂを、同時に、Ｘ方向外方に引っ張ることによって、糞Ｓを囲むように、排泄物処理用シート６の周縁部６０ｓが絞り込まれて袋状となり、糞Ｓを袋状となった排泄物処理用シート６内に綴じ纏めることができる。尚、その後は、引っ張り出した紐８ａ及び紐８ｂどうしを結び付け、糞Ｓの入った袋状の排泄物処理用シート６を廃棄する。このように、糞Ｓを処理できるので、排泄物処理作業時に、糞Ｓを触ることが無く、手を汚してしまうこともなく、また、糞Ｓの感触が直接手指に伝わって不快を感じてしまうこともない。そして、排泄物処理用シート６を剥がした表面シート２は、汚れの無いきれいな状態であるので再利用でき、再度、新たな排泄物処理用シート６を吸収性本体５上に配置することにより、引き続きペット用吸収性物品１Ａとして使用することができる。また、１回の排泄物処理作業で廃棄されるのは、１枚の排泄物処理用シート６のみであるため、吸収性物品全体を廃棄しなくてはならない従来品に比してゴミの量が少なく、経済的で環境に対する負荷が少ない。
【００２２】
ペット用吸収性物品１Ａの素材について説明すると、表面シート２、裏面シート３としては、それぞれ、この種のペット用吸収性物品あるいは人用吸収性物品（使い捨ておむつ等）において、液透過性の表面シート、液不透過性の裏面シートとして用いられているものを特に制限なく用いることができる。表面シートとしては、例えば、親水化処理が施された各種不織布や開孔フィルム等を用いることができる。裏面シートとしては、例えば、微細孔を有する又は有しない樹脂製フィルム、撥水不織布等の不織布、これらと他のシートとのラミネート体等を用いることができる。
【００２３】
吸収体４としては、尿等の排泄物を吸収保持し得るものであれば特に制限されず、例えば、吸水性物質の集合体（吸収性コア）、あるいは該集合体（吸収性コア）の外面を液透過性シート（コアラップシート）で被覆したもの等を用いることができる。吸水性物質としては、例えば、木材パルプや親水化処理された合成繊維等の親水性繊維を用いることができ、必要に応じ、更に粒状の吸水性ポリマー等を用いることができる。また、液透過性シート（コアラップシート）としては、例えば、ティッシュペーパー等の紙や各種不織布、開孔フィルム等を用いることができる。
【００２４】
排泄物処理用シート６としては、尿等の液を下方の吸収性本体５へ透過させ得る、液透過性を有するものを用いることができる。逆に言えば、裏面シート３として使用可能な液不透過性シートは、排泄物処理用シート６として用いることはできない。排泄物処理用シート６としては、表面シート２として使用可能な液透過性シートを用いることができ、表面シート２と排泄物処理用シート６とは同じであっても良い。１枚の排泄物処理用シート６の坪量は、好ましくは１２ｇ／ｍ2以上、更に好ましくは１８ｇ／ｍ2以上、そして、好ましくは６０ｇ／ｍ2以下、更に好ましくは３０ｇ／ｍ2以下、より具体的には、好ましくは１２〜６０ｇ／ｍ2、更に好ましくは１８〜３０ｇ／ｍ2である。
【００２５】
本発明に係る排泄物処理用シートは、前記実施形態における排泄物処理用シート６の如き単層構造であっても良く、あるいは２枚以上のシートが積層一体化された多層構造であっても良い。また、本発明に係る排泄物処理用シートは、液透過性に加えて液吸収性を有していても良い。液吸収性を有する多層構造の排泄物処理用シートの一例として、液透過層と液保持層との積層体が挙げられる。この積層体を構成する液透過層としては、例えば排泄物処理用シート６（表面シート２）として使用可能な液透過性シートを用いることができ、液保持層としては、例えば吸収体４を構成する吸収性コア（吸水性物質の集合体）を用いることができる。この積層体からなる排泄物処理用シートは、液透過層が上層（吸収性本体から相対的に遠い層）、液保持層が下層（吸収性本体から相対的に近い層）となるように、吸収性本体上に配置される。積層体からなる排泄物処理用シートの坪量は、好ましくは１２ｇ／ｍ2以上、更に好ましくは２０ｇ／ｍ2以上、そして、好ましくは８０ｇ／ｍ2以下、更に好ましくは４５ｇ／ｍ2以下、より具体的には、好ましくは１２〜８０ｇ／ｍ2、更に好ましくは２０〜４５ｇ／ｍ2である。
【００２６】
次に、本発明の第２〜第４実施形態のペット用吸収性物品について図５〜図９を参照しながら説明する。第２〜第４実施形態のペット用吸収性物品１Ｂ〜１Ｄについては、第１実施形態のペット用吸収性物品１Ａと異なる点について主として説明し、同様の点については同一の符号を付して説明を省略する。特に言及しない点については、第１実施形態のペット用吸収性物品１Ａに関する説明が適宜適用される。
【００２７】
第２実施形態のペット用吸収性物品１Ｂにおいては、図５に示すように、排泄物処理用シート６の周縁部６０ｓに串縫い状に縫って配された紐８は、３本の紐８ｃ，８ｄ，８ｅからなる。紐８ｃは、紐８ｃの一端が、排泄物処理用シート６の裏面側の、Ｙ方向に沿う上側の一側部６０ｕｓの左側のＹ方向の一端部６０ｌｓに強固に固定されており、紐８ｃの他端が、Ｙ方向に沿う上側の一側部６０ｕｓにＹ方向に沿って串縫いされ、右側のＹ方向の他端部６０ｒｓにおいて、Ｘ方向の略中央の位置付近（Ｘ方向の中央の位置から一側部６０ｕｓ寄りの位置）まで、Ｘ方向に沿って串縫いされ、Ｘ方向の略中央の位置付近から排泄物処理用シート６の裏面側をＹ方向に沿って延在し、左側のＹ方向の一端部６０ｌｓよりもＸ方向外方に引き出されている。紐８ｄは、紐８ｄの一端が、排泄物処理用シート６の裏面側の、Ｙ方向に沿う下側の他側部６０ｄｓの左側のＹ方向の一端部６０ｌｓに強固に固定されており、紐８ｄの他端が、Ｙ方向に沿う下側の他側部６０ｄｓにＹ方向に沿って串縫いされ、右側のＹ方向の他端部６０ｒｓにおいて、Ｘ方向の略中央の位置付近（Ｘ方向の中央の位置から他側部６０ｄｓ寄りの位置）まで、Ｘ方向に沿って串縫いされ、Ｘ方向の略中央の位置付近から排泄物処理用シート６の裏面側をＹ方向に沿って延在し、左側のＹ方向の一端部６０ｌｓよりもＸ方向外方に引き出されている。尚、引き出された紐８ｃの他端と紐８ｄの他端とは結ばれていてもよい。ペット用吸収性物品１Ｂにおいては、２本の紐８ｃ，８ｄは、図５に示すように、排泄物処理用シート６のＹ方向に沿う両側部６０ｕｓ，６０ｄｓにおいて、吸収体４のＹ方向に沿う両側縁上、或いは該両側縁よりも内側に存しており、排泄物処理用シート６のＹ方向の右側の他端部６０ｒｓにおいて、吸収体４のＹ方向の右側の端縁よりも内側に存している。
【００２８】
そして、紐８ｅは、図５に示すように、排泄物処理用シート６の周縁部６０ｓの内の、右側のＹ方向の他端部６０ｒｓに、排泄物処理用シート６のＹ方向に沿う両側部６０ｕｓ，６０ｄｓ間に亘って、Ｘ方向に沿って串縫いされており、紐８ｅの両端が、右側のＹ方向の他端部６０ｒｓよりもＸ方向外方に引き出されて結ばれている。ペット用吸収性物品１Ｂにおいては、紐８ｅは、図５に示すように、排泄物処理用シート６のＹ方向の右側の他端部６０ｒｓにおいて、吸収体４のＹ方向の右側の端縁よりも外側に存している。
【００２９】
ペット用吸収性物品１Ｂにおいては、固定部７は、２本の紐８ｃ，８ｄ上に直接塗工された接着剤による接着手段により形成されている。ペット用吸収性物品１Ｂにおいては、排泄物処理用シート６は、図５に示すように、その４隅部分において、串縫い状に縫われた、排泄物処理用シート６の裏面側の紐８ｃ，８ｄに塗工された接着剤からなる固定部７によって、吸収性本体５の表面シート２に分離可能に固定され一体化されている。このように、排泄物処理用シート６の裏面と吸収性本体５の表面シート２の表面とは、接着剤が直接塗工された紐８ｃ，８ｄの固定部７を介して、直接接着固定されている。
【００３０】
尚、上述した紐８ｃ，８ｄの一端における排泄物処理用シート６の裏面側への強固な固定は、例えば固定部７を形成する接着剤とは異なる接着強度の高い接着剤による接着手段、例えば固定部７を形成する融着手段よりも温度の高いヒートエンボス加工、超音波加工等の融着手段等により行う。
【００３１】
第２実施形態のペット用吸収性物品１Ｂは、上述した第１実施形態のペット用吸収性物品１Ａと同様の機能を有する。すなわち、ペットの飼育者が糞Ｓを処理する際、排泄物処理用シート６のＹ方向の両端部からＸ方向外方に引き出された紐８ｃ，８ｄ及び８ｅを、同時に、Ｘ方向外方に引っ張ることによって、排泄物処理用シート６を吸収性本体５の表面シート２に固定する紐８ｃ，８ｄの固定部７が吸収性本体５の表面シート２から外れ、排泄物処理用シート６と吸収性本体５とが分離する。そして、更に紐８ｃ，８ｄ及び８ｅを、同時に、Ｘ方向外方に引っ張ることによって、糞Ｓを囲むように、排泄物処理用シート６の周縁部６０ｓが絞り込まれて袋状となり、糞Ｓを袋状となった排泄物処理用シート６内に綴じ纏めることができる。
【００３２】
次に、第３実施形態のペット用吸収性物品１Ｃにおいては、図６に示すように、排泄物処理用シート６の周縁部６０ｓに串縫い状に縫って配された紐８は、２本の紐８ｆ，８ｇからなる。紐８ｆは、紐８ｆの一端が、排泄物処理用シート６の裏面側の、Ｙ方向に沿う上側の一側部６０ｕｓの右側のＹ方向の他端部６０ｒｓに強固に固定されており、紐８ｆの他端が、Ｙ方向に沿う上側の一側部６０ｕｓにＹ方向に沿って串縫いされ、左側のＹ方向の一端部６０ｌｓよりもＸ方向外方に引き出され、その後、Ｙ方向に沿う下側の他側部６０ｄｓにＹ方向に沿って串縫いされ、排泄物処理用シート６の裏面側の、他側部６０ｄｓの右側のＹ方向の他端部６０ｒｓに強固に固定されている。ペット用吸収性物品１Ｃにおいては、紐８ｆは、図６に示すように、排泄物処理用シート６のＹ方向に沿う両側部６０ｕｓ，６０ｄｓにおいて、吸収体４のＹ方向に沿う両側縁上、或いは該両側縁よりも内側に存している。
【００３３】
そして、紐８ｇは、図６に示すように、排泄物処理用シート６の周縁部６０ｓの内の、右側のＹ方向の他端部６０ｒｓに、排泄物処理用シート６のＹ方向に沿う両側部６０ｕｓ，６０ｄｓ間に亘って、Ｘ方向に沿って串縫いされており、紐８ｅの両端が、右側のＹ方向の他端部６０ｒｓよりもＸ方向外方に引き出されて結ばれている。ペット用吸収性物品１Ｃにおいては、紐８ｇは、図６に示すように、排泄物処理用シート６のＹ方向の右側の他端部６０ｒｓにおいて、吸収体４のＹ方向の右側の端縁上、或いは該端縁よりも内側に存している。
【００３４】
上述した紐８ｆ，８ｇは、ペット用吸収性物品１Ｃにおいては、図６に示すように、後述する固定部７を避けて固定部７よりも内側（ペット用吸収性物品１Ｃの中心側）を通る位置に配されている。
【００３５】
ペット用吸収性物品１Ｃにおいては、固定部７は、排泄物処理用シート６の裏面に直接塗工された接着剤による接着手段により楕円形状に形成されている。ペット用吸収性物品１Ｃにおいては、排泄物処理用シート６は、図６に示すように、その左側のＹ方向の一端部６０ｌｓ側の２隅部分、及びその右側のＹ方向の他端部６０ｒｓのＸ方向の略中央の位置の３箇所において、排泄物処理用シート６の裏面に直接塗工された接着剤からなる固定部７によって、吸収性本体５の表面シート２に分離可能に固定され一体化されている。このように、排泄物処理用シート６の裏面と吸収性本体５の表面シート２の表面とは、接着剤の固定部７を介して、直接接着固定されている。
【００３６】
尚、上述した紐８ｆの両端における排泄物処理用シート６の裏面側への強固な固定は、例えば固定部７を形成する接着剤とは異なる接着強度の高い接着剤による接着手段、例えば固定部７を形成する融着手段よりも温度の高いヒートエンボス加工、超音波加工等の融着手段等により行う。
【００３７】
上述した第３実施形態のペット用吸収性物品１Ｃを使用した際の作用効果について説明する。
ペット用吸収性物品１Ｃの効果については、ペット用吸収性物品１Ａの効果と異なる点について説明する。特に説明しない点は、ペット用吸収性物品１Ａの効果と同様であり、ペット用吸収性物品１Ａの効果の説明が適宜適用される。
ペット用吸収性物品１Ｃにおいては、図６に示すように、紐８ｆ，８ｇが、固定部７を避けて固定部７よりも内側（ペット用吸収性物品１Ｃの中心側）を通る位置に配されている。その為、ペットの飼育者が糞Ｓを処理する際、図６に示すように、排泄物処理用シート６のＹ方向の両端部からＸ方向外方に引き出された紐８ｆ，８ｇを、同時に、Ｘ方向外方に引っ張ることによって、図７（ａ）に示すように、固定部７よりも内側を通る紐８が、図７（ｂ）に示すように、排泄物処理用シート６の裏面と吸収性本体５の表面シート２の表面との間の固定部７を切断しながら、直線状に延びるようになる。よって、排泄物処理用シート６が吸収性本体５の表面シート２から外れて、排泄物処理用シート６と吸収性本体５とが分離する。その後は、ペット用吸収性物品１Ｃは、ペット用吸収性物品１Ａと同様にして処理できるので、ペット用吸収性物品１Ａと同様の効果が得られる。
【００３８】
次に、第４実施形態のペット用吸収性物品１Ｄにおいては、図８に示すように、排泄物処理用シート６の周縁部６０ｓに串縫い状に縫って配された紐８は、２本の紐８ｈ，８ｉからなる。紐８ｈは、図８に示すように、排泄物処理用シート６の周縁部６０ｓの内の、左側のＹ方向の一端部６０ｌｓに、排泄物処理用シート６のＹ方向に沿う両側部６０ｕｓ，６０ｄｓ間に亘って、Ｘ方向に沿って串縫いされており、紐８ｈの両端が、左側のＹ方向の一端部６０ｌｓよりもＸ方向外方に引き出されて結ばれている。ペット用吸収性物品１Ｄにおいては、紐８ｈは、図８に示すように、排泄物処理用シート６のＹ方向の左側の一端部６０ｌｓにおいて、吸収体４のＹ方向の左側の端縁上、或いは該端縁よりも内側に存している。
【００３９】
そして、紐８ｉは、図８に示すように、排泄物処理用シート６の周縁部６０ｓの内の、右側のＹ方向の他端部６０ｒｓに、排泄物処理用シート６のＹ方向に沿う両側部６０ｕｓ，６０ｄｓ間に亘って、Ｘ方向に沿って串縫いされており、紐８ｉの両端が、右側のＹ方向の他端部６０ｒｓよりもＸ方向外方に引き出されて結ばれている。ペット用吸収性物品１Ｄにおいては、紐８ｉは、図８に示すように、排泄物処理用シート６のＹ方向の右側の他端部６０ｒｓにおいて、吸収体４のＹ方向の右側の端縁上、或いは該端縁よりも内側に存している。
【００４０】
上述した紐８ｈ，８ｉは、ペット用吸収性物品１Ｄにおいては、図８に示すように、後述する固定部７を避けて固定部７の外周を１周回って配されている。
【００４１】
ペット用吸収性物品１Ｄにおいては、固定部７は、排泄物処理用シート６の裏面に直接塗工された接着剤による接着手段により円形状に形成されている。ペット用吸収性物品１Ｄにおいては、排泄物処理用シート６は、図８に示すように、その４隅部分において、排泄物処理用シート６の裏面に直接塗工された接着剤からなる固定部７によって、吸収性本体５の表面シート２に分離可能に固定され一体化されている。このように、排泄物処理用シート６の裏面と吸収性本体５の表面シート２の表面とは、接着剤の固定部７を介して、直接接着固定されている。
【００４２】
上述した第４実施形態のペット用吸収性物品１Ｄを使用した際の作用効果について説明する。
ペット用吸収性物品１Ｄの効果については、ペット用吸収性物品１Ａの効果と異なる点について説明する。特に説明しない点は、ペット用吸収性物品１Ａの効果と同様であり、ペット用吸収性物品１Ａの効果の説明が適宜適用される。
ペット用吸収性物品１Ｄにおいては、図８に示すように、紐８ｈ，８ｉが、固定部７を避けて固定部７の外周を１周回って配されている。その為、ペットの飼育者が糞Ｓを処理する際、図８に示すように、排泄物処理用シート６のＹ方向の両端部からＸ方向外方に引き出された紐８ｈ，８ｉを、同時に、Ｘ方向外方に引っ張ることによって、図９（ａ）に示すように、固定部７の外周を１周回る紐８が、図９（ｂ）に示すように、排泄物処理用シート６の裏面と吸収性本体５の表面シート２の表面との間の固定部７を切断しながら、直線状に延びるようになる。よって、排泄物処理用シート６が吸収性本体５の表面シート２から外れて、排泄物処理用シート６と吸収性本体５とが分離する。その後は、ペット用吸収性物品１Ｄは、ペット用吸収性物品１Ａと同様にして処理できるので、ペット用吸収性物品１Ａと同様の効果が得られる。
【００４３】
本発明のペット用吸収性物品は、上述の第１〜第４実施形態のペット用吸収性物品１Ａ〜１Ｄに何ら制限されるものではなく、適宜変更可能である。また、上述の第１〜第４実施形態のペット用吸収性物品１Ａ〜１Ｄにおける各構成要件は、本発明の趣旨を損なわない範囲で、適宜組み合わせて実施できる。
【００４４】
例えば、上述の第１〜第４実施形態のペット用吸収性物品１Ａ〜１Ｄにおいては、図１，図５，図６，図８に示すように、吸収性本体５の表面シート２の上方に配された排泄物処理用シート６は、１枚だけであるが、複数枚を配していてもよい。複数枚の排泄物処理用シート６を配する場合、下側に位置する（吸収性本体５から相対的に近い）ものほど、平面視の大きさ（サイズ）が小さく、下側に位置するシートの周縁が、上側に位置するシートの周縁よりも内方に存するようにすることが好ましい。そうすることで、各排泄物処理用シート６の周縁部に、該シート６と吸収性本体５（表面シート２）とを分離可能に一体化させるための接着部や仮留め部を形成することが可能となる。
【００４５】
また、本発明のペット用吸収性物品には、下記１）〜３）の工夫を施すことが可能である。１）排泄物処理用シート６と表面シート２とで色及び／又は素材を異ならせる。２）排泄物処理用シート６が複数枚積層されている場合に、各排泄物処理用シート６どうしで色又は素材を異ならせる。３）排泄物処理用シート６及び／又は表面シート２に消臭剤を含有させる。
【００４６】
前記１）及び２）に関し、各シートどうしで色を異ならせることにより、残り枚数の確認が容易になる。また、各シートどうしで素材を異ならせることにより、例えば液に対する挙動（液透過性、液吸収性、液拡散性等）が異なる複数枚のシートの積層体を、表面シート２の上方に配することが可能となり、それによって、ペットの排泄行為に伴う飼育者の排泄物処理作業の負担の一層の軽減が期待できる。例えば、朝一番で軟便を排泄する傾向があるペットに対しては、斯かる積層体において相対的に液が染み出しにくいシートを最上層に配置するのが有効である。
【００４７】
前記３）に関し、ここでいう消臭剤は、犬や猫等のペットの排泄物に起因する悪臭を除去し得る薬剤全般を意味し、悪臭の除去方法は特に制限されず、香料成分に由来する香気によって悪臭をマスキングするタイプの薬剤の他、抗菌・殺菌作用により悪臭の発生源となる菌の発生・増加を抑制するタイプの薬剤、悪臭成分そのものを吸着するタイプの薬剤等も含まれる。
【００４８】
前述した本発明の実施形態に関し、更に以下の付記（ペット用吸収性物品）を開示する。
【００４９】
＜１＞
表面シート及び当該表面シートの一方の面に配された吸収体を含んで構成される吸収性本体と、
前記表面シートの前記一方の面とは反対側の面に配され、該吸収性本体と分離可能に固定部を介して固定され一体化された液透過性の排泄物処理用シートとを備え、
前記排泄物処理用シートは、その周縁部に串縫い状に縫って配された紐を有し、
前記紐を引っ張ることにより、前記固定部による固定が解除され、分離した前記排泄物処理用シートが袋状となるペット用吸収性物品。
【００５０】
＜２＞
前記固定部は片面テープであり、前記片面テープが前記紐を挟んで前記表面シートに固定されることにより、前記排泄物処理用シートが前記吸収性本体に分離可能に固定され一体化されている前記＜１＞に記載のペット用吸収性物品。
＜３＞
前記固定部は前記紐に直接塗工された接着剤であり、当該接着剤により、前記排泄物処理用シートが前記吸収性本体に分離可能に固定され一体化されている前記＜１＞に記載のペット用吸収性物品。
＜４＞
前記排泄物処理用シートと前記表面シートとのそれぞれ対向する面が固定部により分離可能に固定され一体化されており、前記紐が、前記固定部を避けて前記固定部よりも内側（ペット用吸収性物品の中心側）を通る位置に配されている前記＜１＞に記載のペット用吸収性物品。
＜５＞
前記紐を引っ張ることにより、前記固定部よりも内側（ペット用吸収性物品の中心側）を通る位置に配されている紐が前記固定部による固定を解除しながら直線状に延びることで、分離した前記排泄物処理用シートが袋状となる前記＜４＞に記載のペット用吸収性物品。
＜６＞
前記排泄物処理用シートと前記表面シートとのそれぞれ対向する面が固定部により分離可能に固定され一体化されており、前記紐が、前記固定部を避けて前記固定部の外周を１周回って配されている前記＜１＞に記載のペット用吸収性物品。
＜７＞
前記紐を引っ張ることにより、前記固定部の外周を１周回って配されている紐が前記固定部による固定を解除しながら直線状に延びることで、分離した前記排泄物処理用シートが袋状となる前記＜６＞に記載のペット用吸収性物品。
＜８＞
前記固定部は、接着剤による接着手段、ヒートエンボス加工、超音波加工による融着手段のいずれかにより形成されている前記＜４＞〜＜７＞のいずれか１に記載のペット用吸収性物品。
【００５１】
＜９＞
前記固定部の形状は、矩形状、楕円形、円形、菱形、三角形のいずれかである前記＜１＞〜＜８＞のいずれか１に記載のペット用吸収性物品。
＜１０＞
前記排泄物処理用シートは、２本、または３本の前記紐を有している前記＜１＞〜＜９＞のいずれか１に記載のペット用吸収性物品。
＜１１＞
前記紐は、前記排泄処理用シートの両端部からそれぞれ外方に引き出されており、引き出された部分の前記紐を引っ張ることにより、前記固定部による固定が解除され、分離した前記排泄物処理用シートが袋状となる前記＜１＞〜＜１０＞のいずれか１に記載のペット用吸収性物品。
＜１２＞
前記排泄物処理用シートの坪量は、好ましくは１２ｇ／ｍ2以上、更に好ましくは１８ｇ／ｍ2以上、そして、好ましくは６０ｇ／ｍ2以下、更に好ましくは３０ｇ／ｍ2以下である前記＜１＞〜＜１１＞のいずれか１に記載のペット用吸収性物品。
＜１３＞
前記排泄物処理用シートは、液透過性を有する層と液吸収性を有する層の積層体である前記＜１＞〜＜１１＞のいずれか１に記載のペット用吸収性物品。
＜１４＞
前記排泄物処理用シートの坪量は、好ましくは１２ｇ／ｍ2以上、更に好ましくは２０ｇ／ｍ2以上、そして、好ましくは８０ｇ／ｍ2以下、更に好ましくは４５ｇ／ｍ2以下である前記＜１３＞に記載のペット用吸収性物品。
＜１５＞
前記固定部の接着強度が、好ましくは１０ｇｆ／２５ｍｍ以上、より好ましくは２０ｇｆ／２５ｍｍ以上であり、好ましくは８００ｇｆ／２５ｍｍ以下、より好ましくは４００ｇｆ／２５ｍｍ以下である前記＜１＞〜＜１４＞のいずれか１に記載のペット用吸収性物品。
＜１６＞
前記ペット用吸収性物品は平面視において長方形形状を有し、その長手方向の長さは１５〜１２６ｃｍ、幅方向の長さは１０〜９６ｃｍである前記＜１＞〜＜１５＞の何れか１に記載のペット用吸収性物品。
＜１７＞
前記排泄物処理用シートを複数枚備える前記＜１＞〜＜１６＞のいずれか１に記載のペット用吸収性物品。
＜１８＞
複数枚の前記排泄物処理用シートは、前記吸収性本体から相対的に近いものほど、平面視の大きさが小さい前記＜１７＞に記載のペット用吸収性物品。
【符号の説明】
【００５２】
１Ａ，１Ｂ，１Ｃ，１Ｄ  ペット用吸収性物品
２  表面シート
３  裏面シート
４  吸収体
５  吸収性本体
５ｓ  吸収性本体の周縁
６  排泄物処理用シート
６ｓ  排泄物処理用シートの周縁
６０ｓ  排泄物処理用シートの周縁部
６０ｕｓ  Ｙ方向に沿う上側の一側部
６０ｄｓ  Ｙ方向に沿う下側の他側部
６０ｌｓ  左側のＹ方向の一端部
６０ｒｓ  右側のＹ方向の他端部
７  固定部
８（８ａ〜８ｉ）  紐
Ｓ  糞
【図１】
2014113120.tif 000003
【図２】
2014113120.tif 000004
【図３】
2014113120.tif 000005
【図４】
2014113120.tif 000006
【図５】
2014113120.tif 000007
【図６】
2014113120.tif 000008
【図７】
2014113120.tif 000009
【図８】
2014113120.tif 000010
【図９】
2014113120.tif 000011